(57)【要約】【課題】ピックアップヘッドの送りを精度よく行なう。【解決手段】ラック２０の一対の支持部材２１，２１の先端を連結部材２２で連結し、連結部材２２の先端に、リードスクリュー１７のネジ溝と嵌合する突起２３，２３を形成する。支持部材２１，２１の間に、板バネ２４を配設し、その板バネ２４の幅寸法を、支持部材２１，２１の間の寸法に実質的に等しく設定する。さらに、板バネ２４を、連結部材２２に対向するように折曲して、連結部材２２に弾性力を付与すると共に、板バネ２４の折曲部分の中間部に切欠きを設けて、その切欠きに、連結部材２２に設けたボス部２６を嵌合させる。さらに、板バネ２４の先端を折曲して、支持部材２１，２１の間に位置するように構成する。【選択図】　　　図１
2004118958.tif 000002
【特許請求の範囲】
【請求項１】
ピックアップ本体が取り付けられ、案内軸に摺動自在に支持されたホルダを、リードスクリューによって移送させるピックアップ送り装置において、
前記リードスクリューを回転駆動するモータと、
前記ホルダに、前記案内軸の軸方向に所定間隔をもって形成された一対の支持片と、
前記一対の支持片を連結すると共に前記リードスクリューのネジ溝と係合する突起が設けられた係合部材と、
基端が前記ホルダに固定され側端がそれぞれ前記一対の支持片に当接するように当該支持片の間に配設され、自由端側が前記係合部材に当接して前記係合部材の突起を前記リードスクリューに圧接すべく弾性を付与する板バネと、
を備えたことを特徴とするピックアップヘッド送り装置。
【請求項２】
前記係合部材は、前記支持片に対して弾性を有するように一体的に成形された板状体でなり、その一方の面に前記突起が形成され他方の面に突部が形成され、
前記板バネには、前記突部が嵌合する切欠きが設けられていることを特徴とする請求項１に記載のピックアップヘッド送り装置。
【請求項３】
前記板バネは、自由端側の先端が前記支持片の間に配置するように折曲されていることを特徴とする請求項１または２に記載のピックアップヘッド送り装置。
【発明の詳細な説明】
【０００１】
【発明の属する技術分野】
本発明は、ＣＤ（Ｃｏｍｐａｃｔ　Ｄｉｓｋ）プレーヤ、ＤＶＤ（Ｄｉｇｉｔａｌ　Ｖｅｒｓａｔｉｌｅ　Ｄｉｓｋ）レコーダ等のメディアディスク機器に適用されるＰＵＨ（Ｐｉｃｋ　Ｕｐ　Ｈｅａｄ）の送り装置に関し、特にリードスクリューでＰＵＨを移送する際に、精度よくＰＵＨを移送させることができるようにしたピックアップヘッド送り装置に関する。
【０００２】
【従来の技術】
メディアディスク機器においては、レーザーダイオードが搭載されたＰＵＨ本体を、ディスクの径方向に移送させながら、ディスクに記録されている情報を再生し、あるいはディスクに情報を記録するように構成されており、ＰＵＨを移送するための送り装置が備えられている。
【０００３】
すなわち、図５に示すように、メディアディスク機器５０では、筐体５１と、この筐体５１に対して引き出した位置と、筐体５１内に収容された位置との間で、移動するように設けられたディスクトレイ５２とを有している。
ディスクトレイ５２は、ディスクが収容されるディスク収容部５３と、ディスク収容部５３の中央部に設けられた、ディスクが装着されるターンテーブル５４を備える。さらにディスクトレイ５２には、ターンテーブル５４から径方向に溝５５が設けられ、ＰＵＨ５６がこの溝５５内を移動するように、送り装置によって駆動される。
【０００４】
通常、ＰＵＨの送り機構は、モータの回転をギヤによる伝達手段を介してＰＵＨに移送力として伝達し、ＰＵＨを移送させている。ギアには、バックラッシュが存在するため、送り精度を向上させるために、バックラッシュを抑制する工夫が施される。
【０００５】
従来例えば、特開２０００−６７５３４号に示すようなＰＵＨの送り装置があった。
この装置の場合、スプリングによって、弾性片に設けられた突起をリードスクリューのネジ溝に圧接させることで、リードスクリューのバックラッシュはある程度抑制でき、ＰＵＨの送り精度を向上させることができるが、リードスクリューが回転する際に、ラックの弾性片が変形してしまい、リードスクリューの回転によるその軸方向への力を１００％ＰＵＨの移送力として発揮させることができず、ＰＵＨの安定した送りができないという問題がある。
【０００６】
以上のように従来のピックアップヘッドの送り装置では、リードスクリューのネジ溝と嵌合する突起が設けられたラックが、それ自体弾性を有する樹脂で成形されるため、リードスクリューが回転することで、リードスクリューの軸と交わる方向に変形してしまい、ＰＵＨを精度よく移送させることができないという問題を有している。
【０００７】
【特許文献１】
特開２０００−６７５３４号（第２頁〜第３頁、第１図）
【０００８】
【発明が解決しようとする課題】
以上のように、従来のピックアップヘッドの送り装置によれば、リードスクリューによるＰＵＨ移送時に、リードスクリューと係合して力を受けるラックが変形することで、ＰＵＨの送り精度が低下してしまうという問題があった。
本発明は、以上の点に対処してなされたものであり、ラックの位置を板バネで規制することでラックの変形を抑えるようにして、ＰＵＨを精度よく送ることを可能としたピックアップヘッドの送り装置を提供することを目的とする。
【０００９】
【課題を解決するための手段】
本発明のピックアップヘッドの送り装置は、ピックアップ本体が取り付けられ、案内軸に摺動自在に支持されたホルダを、リードスクリューによって移送させるピックアップ送り装置において、前記リードスクリューを回転駆動するモータと、前記ホルダに、前記案内軸の軸方向に所定間隔をもって形成された一対の支持片と、前記一対の支持片を連結すると共に前記リードスクリューのネジ溝と係合する突起が設けられた係合部材と、基端が前記ホルダに固定され側端がそれぞれ前記一対の支持片に当接するように当該支持片の間に配設され、自由端側が前記係合部材に当接して前記係合部材の突起を前記リードスクリューに圧接すべく弾性を付与する板バネと、を備えたことを特徴とする。
【００１０】
本発明によれば、リードスクリューのネジ溝と嵌合する突起が設けらた係合部材が、板バネによって位置規制されて、リードスクリューのネジ溝と嵌合する突起が変位せず、リードスクリューの回転による力をそのままピックアップヘッドに伝達することができるものである。
【００１１】
【発明の実施の形態】
以下、図面を参照しながら本発明の実施の形態を詳細に説明する。
図１は、本発明のピックアップヘッドの送り装置を示す図である。
ＰＵＨ１１は、ダイカスト製のホルダ１２に取り付けられている。ホルダ１２には、一対の案内軸１３，１４と摺動自在に係合して、ホルダ１２を案内軸１３，１４に対して摺動自在に保持する保持部材１５，１６が設けられている。案内軸１３側の保持部材１５は１個設けられ、案内軸１４側の保持部材１６は、案内軸１４の軸方向に所定の間隔を置いて一対、２個設けられている。
【００１２】
案内軸１４に隣接して、リードスクリュー１７が設けられている。リードスクリュー１７は、取付枠１８によって両端が回転自在に支持され、一端がモータ１９と連結されている。
案内軸１４に係合している一対の保持部材１６，１６の間に、ラック２０が配置され、ホルダ１２とリードスクリュー１７を結合して、リードスクリュー１７の回転による軸方向の移送力をホルダ１２に伝達している。
ラック２０は樹脂で成形され、基端でホルダ１２に固定され、案内軸１４の軸方向に所定間隔をおいて配設された一対の支持部材２１，２１と、この支持部材２１，２１の先端を連結する連結部材２２を有する。さらに連結部材２２には、リードスクリュー１７のネジ溝に嵌合する突起２３，２３が２個形成されている。
【００１３】
一対の支持部材２１，２１の間には、金属製の板バネ２４が配置されている。板バネ２４は、基端がホルダ１２に固定され、自由端側は、その幅寸法が一対の支持部材２１間の間隔と実質的に等しくなるように形成され、さらに連結部材２２に対向するように折曲されている。すなわち、板バネ２４の側端は支持部材２１，２１の内壁と当接するように構成されている。
【００１４】
図２〜図４を参照して、ラック２０と板バネ２４の詳細な構造について説明する。
図２は、ラック２０と板バネ２４を上面側から見た図であり、図３、は図２のａ−ａ線による断面図であり、図４は、ラック２０と板バネ２４を裏面側から見た図である。
図２において、連結部材２２の先端に形成された突起２３，２３は、リードスクリュー１７のネジ溝に対応して、ネジの傾斜に合致して斜めに形成されている。
連結部材２２の突起２３，２３が形成された面の反対側には、突部２５が形成されると共に、突部２５の先端にボス部２６が形成されている。
板バネ２４は、連結部材２２に対向するように折曲された部分の中間で中央部が切り欠かれ、切り欠かれた部分にボス部２６が嵌合するように構成されている。切り欠けられた部分の両側で突部２５に当接して、連結部材２２に弾性力を付与する。
【００１５】
図３において、連結部２２は、端部で支持部材２１から略直角に折曲するように形成され、その略先端部分に突部２５とボス部２６が形成されている。
板バネ２４の先端は、さらに、基端方向に折曲され、支持部材２１の間に配設される。
板バネ２４の先端が、折曲されて支持部材２１の間に位置するようになる状態は、図４に明確に示されている。
以上のように構成された、装置において、モータ１９を回転させてリードスクリュー１７を回転させると、そのネジ溝に嵌合している突起２３，２３にその回転が伝達される。それによって、ラック２０が案内軸１４の軸方向の力を受け、ホルダ１２が移送される。
【００１６】
このとき、ホルダ２０の支持部材２１，２１は、その間に板バネ２４が配置しており、その幅寸法が支持部材２１，２１の間隔と略等しく設定されているため、ＰＵＨの移送の過程で、支持部材２１，２１がリードスクリュー１７の軸方向の力を受けても、同方向への変位は微小である。したがって、支持部材２１，２１の先端の連結部材２２の変位も微小に抑えることができ、リードスクリュー１７のネジ溝と嵌合している突起２３，２３も極僅かな変位をするだけであり、結局リードスクリュー１７の回転による力が、ホルダ１２を移送する力に、極めて高い効率で変換され、ＰＵＨ１１の移送を精度よく行なうことができるものでる。
【００１７】
なお、板バネ２４は、その切り欠き部分に、ボス部２６が嵌合し、さらにその先端が折曲されて、支持部材２１の間に配置されるようになるため、連結部材２２が変位するのをより確実に抑制することができるものである。
また、板バネ２４と支持部材２１，２１間の隙間はできる限り無くすように構成した方が、支持部材２１，２１及び連結部材２２の変位を抑えることができるようになるため、板バネ２４の中間部及び先端部のそれぞれ側端と当接する支持部材２１，２１の内壁に突起を設けるように構成してもよい。
【００１８】
以上のように、本発明のピックアップヘッドの送り装置によれば、ホルダ２０の支持部材２１，２１と連結部材２２を、板バネ２４と効果的に結合させることによって、支持部材２１，２１及び連結部材２２が、リードスクリュー１７による移送時に、リードスクリュー１７の軸方向の力を受けて変形するのを抑制することができものであり、ＰＵＨの送りを精度よく実行させることができるものである。
【００１９】
【発明の効果】
以上のように、本発明によれば、ラックが、リードスクリューの回転によってその軸方向に変位するような力を受けても、板バネによって変位が規制されるため、ＰＵＨの送りを精度よく行なうことができるようになるものである。
【図面の簡単な説明】
【図１】本発明に係る、ピックアップヘッドの送り装置を示す図。
【図２】図１の装置の要部を上面から見た状態を示す図。
【図３】図２に示す図面の断面図。
【図４】図１装置の要部を底面から見た状態を示す図。
【図５】ディスクメディア機器の構成を説明するため図。
【符号の説明】
１１…ピックアップヘッド（ＰＵＨ）
１２…ホルダ
１３，１４…案内軸
１５，１６…保持部材
１７…リードスクリュー
１９…モータ
２０…ラック
２１…支持部材
２２…連結部材
２３…突起
２４…板バネ
２５…突部
２６…ボス部
【図１】
2004118958.tif 000003
【図２】
2004118958.tif 000004
【図３】
2004118958.tif 000005
【図４】
2004118958.tif 000006
【図５】
2004118958.tif 000007